(57)【要約】      （修正有）【課題】低コストで、食品を衛生的に貯蔵することができ、かつ高級感を醸し出すことができる紙様容器を提供する。【解決手段】紙様容器１０は、プラスチック製容器１１と、容器の外表面に熱融着された合成樹脂製の不織布層１２とからなる。不織布層は、好ましくはポリエチレンパルプと、ポリプロピレンおよびポリエチレンからなる複合繊維とから構成される。【選択図】図１
0003130931.tif 000002
【実用新案登録請求の範囲】
【請求項１】
プラスチック製容器と、該容器の外表面に熱融着された合成樹脂製の不織布層とからなる
ことを特徴とする紙様容器。
【請求項２】
前記不織布層が、
ポリエチレンパルプと、
ポリプロピレンおよびポリエチレンからなる複合繊維と
からなる請求項１記載の紙様容器。
【請求項３】
前記ポリエチレンパルプと複合繊維との配合比率が３：７〜７：３である請求項２記載の紙様容器。
【考案の詳細な説明】
【技術分野】
【０００１】
本考案は紙様容器に関する。さらに詳しくは、プラスチック製容器の外面に熱融着されたポリプロピレンおよびポリエチレンからなる複合繊維を含む不織布層が設けられて、外面に恰も紙が貼付されたような感触が得られる紙様容器に関する。
【背景技術】
【０００２】
従来より、プラスチック製容器の外面に植毛加工を施して独特な感触を与えたり、加熱発泡性のインキを予めプラスチック層の表面に印刷したのち加熱してインキ層を発泡させてクッション効果を与えたりすることが知られている。
【０００３】
また、特許文献１に開示されているように、容器にメロンの表面の網状または筋状の感触を与えるために、成形容器の外面に着色された長繊維不織布を有し、容器内面のプラスチック層と不織布が予め着色された接着剤を介して積層化されてなるものも知られている（図５、６参照）。
【０００４】
図５を参照すると、参照符号１は熱可塑性プラスチック層、参照符号２は着色層接着剤層、参照符号３は不織布をそれぞれ示している。そして、図６には、熱可塑性プラスチック層１と着色接着剤層２との間に印刷絵柄層４が介在されている。
【０００５】
そして、特許文献１には、熱可塑性プラスチック層１としては０．５ｍｍのポリスチレンシートが用いられ、不織布３としてはポリエステル／ポリプロピレン長繊維不織布が用いられ、接着剤層２としては東洋モートン社製のアドコートＭＸ−１３９１（商品名）が用いられおり、ポリスチレン（熱可塑性プラスチック）層１、着色層接着剤層２、および不織布３からなる積層物を、ポリスチレン層１側から１５０℃、１３秒間加熱した後、真空成形法により枕状の容器に成形し、目的とする筋状の表面を有するソフトな感覚を有する容器が得られることが開示されている。
【０００６】
さらに、従来、食品用紙容器が、ボール紙のみから構成されるか、またはこれらを二重、三重に重ねたものから構成された場合、保温性が悪いことに鑑みて、インナーカップの外周に不織布状紙を設けた食品用紙容器も知られている（特許文献２参照）。
【０００７】
【特許文献１】実開昭６２−９３００９号公報
【特許文献２】特開２００１−２４００３６号公報
【考案の開示】
【考案が解決しようとする課題】
【０００８】
しかし、叙上の特許文献１、２記載の容器では、低コストで、食品を衛生的に貯蔵することができ、かつ高級感を醸し出すことができると相反する要求を満たすことができない。
【０００９】
そこで、本考案は、低コストで、食品を衛生的に貯蔵することができ、かつ高級感を醸し出すことができる紙様容器を提供することを目的とするものである。
【課題を解決するための手段】
【００１０】
本考案の紙様容器は、プラスチック製容器と、該容器の外表面に熱融着された合成樹脂製の不織布層とからなる
ことを特徴としている。
【００１１】
また、前記不織布層が、
ポリエチレンパルプと、
ポリプロピレンおよびポリエチレンからなる複合繊維と
からなることが好ましい。
【００１２】
また、前記ポリエチレンパルプと複合繊維との配合比率が３：７〜７：３であることが好ましい。
【考案の効果】
【００１３】
本考案の紙様容器によれば、プラスチック製の容器の外表面に熱融着された合成樹脂製の不織布層が設けられているので、接着剤層が一切不要であり、低コストで、かつ容器の外表面に恰も和紙が貼着されたかのような外観と触感が得られる。
【考案を実施するための最良の形態】
【００１４】
添付図面を参照しながら、本考案の紙様容器について以下に詳細に説明する。
【００１５】
図１は本考案の実施の形態にかかわる紙様容器の一例を示す断面説明図、図２は本考案の紙様容器の他の一例を示す斜視図、図３は本考案の紙様容器の他の一例を示す斜視図、図４は本考案の紙様容器の他の一例を示す斜視図である。
【００１６】
図１を参照すると、本考案の紙様容器１０は、プラスチック製容器１１と、該プラスチック製容器１０の外表面に熱融着により貼着された不織布層１２から構成されている。
【００１７】
そして、当該不織布層１２は、例えば、ポリエチレンパルプと、ＰＰ（ポリプロピレン）／ＰＥ（ポリエチレン）複合繊維とから構成されている。ポリエチレンパルプとＰＰ／ＰＥ複合繊維との配合比率は、３：７〜７：３であることが好ましい。
【００１８】
不織布層１２の物理的特性は、坪量１０〜５０ｇ／ｍ2、厚さ０．０１〜０．２ｍｍ、密度１．０１〜４ｋｇ／ｃｍ2、乾時（縦）引張強度０．８〜４．５ｋｇ、乾時（横）引張強度０．３〜２．５ｋｇ、乾時（縦）引張伸度１５〜１８％、乾時（横）引張伸度２０〜２１％、湿時（縦）引張強度０．８〜４．７ｋｇ、湿時（横）引張強度０．３〜２．４ｋｇ、湿時（縦）引張伸度１５〜１８％、湿時（横）引張伸度２１〜２４％、引裂強度（縦）３０〜８３ｇのものを採用することが好ましい。
【００１９】
そして、かかる物理的特性を有するものとして、例えば、三和製紙株式会社製のサンモア＃１３１５（商品名）、サンモア＃１３２０（商品名）、合繊雲竜４０（商品名）を採用することができる。
【００２０】
つぎに、プラスチック製容器１１としては、例えばポリスチレンシートなどの熱可塑性樹脂製のシートを採用することができる。
【００２１】
本考案の紙様容器１０には、図示されていないが、不織布層１２の上にさらに絵柄層を設けることももちろん可能であり、かかる絵柄層を有するものも本考案に含まれることはいうまでもない。
【００２２】
また、本考案の紙様容器は、例えば、図２〜４に示されるように、絞り加工をすることにより所望の形状を得ることができるが、容器の形状は図示されたものに限定されない。
【図面の簡単な説明】
【００２３】
【図１】本考案の一実施の形態にかかわる紙様容器の一例を示す断面説明図である。
【図２】本考案の紙様容器の他の一例を示す斜視図である。
【図３】本考案の紙様容器の他の一例を示す斜視図である。
【図４】本考案の紙様容器の他の一例を示す斜視図である。
【図５】従来の容器の構造の一例を示す断面説明図である。
【図６】従来の容器の構造の他の例を示す断面説明図である。
【符号の説明】
【００２４】
１０  紙様容器
１１  プラスチック製容器
１２  不織布層
【図１】
0003130931.tif 000003
【図２】
0003130931.tif 000004
【図３】
0003130931.tif 000005
【図４】
0003130931.tif 000006
【図５】
0003130931.tif 000007
【図６】
0003130931.tif 000008